(57)【要約】  【課題】  暖房運転や給湯の利用状況に応じて、素早く安定的に暖房・給湯することができる熱源装置の提供。  【解決手段】  本発明の給湯暖房装置１は、燃焼手段１０と、所定の暖房放熱器を接続するが可能な暖房流路１５と、暖房流路１５から分岐するバイパス流路１６と、給湯流路１７とを有している。また、暖房流路１５のバイパス流路１６への分岐部に分配流量調整部１８が設けられ、分配流量調整部１８は、暖房放熱器側とバイパス流路１６側の流量との比率を所定の範囲で分配することが可能である。そして、給湯のみの使用ではバイパス流路に流れる熱媒体の流量が最大となり、暖房のみの使用ではバイパス流路１６に流れる熱媒体の流量を一定流量以上となる範囲で調整し、給湯及び暖房の両方を使用している場合には、バイパス流路１６に流れる流量を演算された熱量となるような流量となるように調整する。【選択図】  図１
2005337632.tif 000002
【特許請求の範囲】
【請求項１】
燃焼手段と、所定の暖房放熱器を接続することにより循環路を形成することが可能な暖房流路と、前記暖房流路から分岐して暖房放熱器を迂回して暖房流路に合流するバイパス流路と、入水部を通じて水を導入し、給湯部を通じて当該水を加熱して外部へ出湯する給湯流路とを有し、
暖房流路には第１熱交換器と循環ポンプとが設けられ、前記第１熱交換器は前記燃焼手段において発生した燃焼ガスによって前記暖房流路内の熱媒体を加熱し、前記循環ポンプは暖房流路内の熱媒体を循環させるものであり、
バイパス流路には暖房流路を循環する熱媒体を用いて給湯流路の入水部から導入された水を加熱することが可能な第２熱交換器が設けられており、
暖房流路のバイパス流路への分岐部には、前記暖房放熱器に流れる熱媒体の流量と前記バイパス流路に流れる熱媒体の流量との比率を分配することが可能な分配流量調整手段が設けられており、さらに、暖房放熱器の運転の要求を検知する暖房運転検知手段と、給湯流路の流量が所定の流量以上であることを検知する入水検知手段と、給湯部から出湯される水の温度を所定の給湯温度に調整するために必要な熱量を演算する給湯熱量演算手段と、制御手段とを有し、前記制御手段は暖房運転検知手段の検知結果、入水検知手段の検知結果及び給湯熱量演算手段の演算結果を基に分配流量調整手段の制御を行うものであり、前記制御手段は以下の１）〜３）の全ての条件を満たすように制御が行われることを特徴とする熱源装置。
１）入水検知手段によって給湯流路の流量が所定の流量以上であることを検知し、暖房運転検知手段によって暖房放熱器の運転の要求を検知しない場合には、前記バイパス流路に流れる熱媒体の流量が最大となるように分配流量調整手段を調整する。
２）入水検知手段によって給湯流路の流量が所定の流量以上であることを検知せず、暖房運転検知手段によって暖房放熱器の運転の要求を検知した場合には、前記バイパス流路に流れる熱媒体の流量を一定流量以上となる範囲で分配流量調整手段を調整する。
３）入水検知手段によって給湯流路の流量が所定の流量以上であることを検知し、暖房運転検知手段によって暖房放熱器の運転の要求を検知した場合には、前記バイパス流路に流れる熱媒体が持つ熱量が熱量演算手段で演算された熱量となるように分配流量調整手段を調整する。
【請求項２】
暖房運転検知手段によって暖房放熱器の運転の要求を検知している場合に、入水検知手段によって給湯流路の流量が所定の流量以上であることを検知すると、バイパス流路に流れる熱媒体の流量が最大となるように分配流量調整手段を調整し、その後、徐々にバイパス流路に流れる熱媒体の流量を減少させて暖房放熱器へ流れる流量を増加させるように分配流量調整手段を調整することを特徴とする請求項１に記載の熱源装置。
【請求項３】
給湯流路には第２熱交換器を迂回するように入水部と給湯部とをつなぐバイパス部が設けられ、前記バイパス部には常時開状態であるバイパス弁があり、前記バイパス弁は暖房放熱器の運転の要求を検知している最中に、給湯流路の流量が所定の流量以上であることを検知した場合には、所定の時間後に閉じることを特徴とする請求項１又は２に記載の熱源装置。
【発明の詳細な説明】
【技術分野】
【０００１】
本発明は給湯機能と暖房機能を合わせ持つ複合機のように、複数の被加熱系統を備えた熱源装置に関するものである。
【背景技術】
【０００２】
従来より、水を加熱して行う給湯と、不凍液などの熱媒体を加熱して配管を通じて所定の場所で放熱して行う暖房の双方が可能な熱源装置である給湯暖房装置が用いられている。そして、暖房流路に用いる加熱源と、給湯流路に用いる加熱源とを１つの熱交換缶体を用いるようにし、１つの熱交換缶体によって前記２系統の熱交換加熱を兼用して行なうことができるようにした、いわゆる１缶２水路の給湯暖房装置がある。
【０００３】
熱交換缶体が１つである給湯暖房装置は、２つの熱交換缶体によって２系統の熱交換加熱を行なうことができるようにした２缶２水路の給湯暖房装置に比べて、安価に製作することができる。
【０００４】
このような、１つの熱交換缶体を用いる給湯暖房装置として、特許文献１などに記載されている給湯暖房装置のように、燃焼排気との熱交換により第１温水路の水を昇温させ、第１温水路の温水との熱交換により第２温水路の水を昇温する温水システムがある。
【特許文献１】特開２００３−２１３４４号公報
【発明の開示】
【発明が解決しようとする課題】
【０００５】
しかしながら、特許文献１などに記載されている従来の給湯暖房装置では、給湯や暖房の運転・停止のタイミングによっては、要求に応じた給湯や暖房ができない場合があった。これは、給湯の要求があった場合には、短い時間に大きな熱量を必要とするが、暖房は、給湯の場合に比較して小さな熱量を長時間の間必要とするものであり、これらの必要な熱量の供給を、運転状況に応じてスムーズに切り換えることができなかったためである。
【０００６】
そこで、本発明は、暖房運転や給湯の利用状況に応じて、必要な熱量を素早く安定的に暖房側及び給湯側に供給することができる熱源装置を提供することを課題とする。
【課題を解決するための手段】
【０００７】
そして、上記した目的を達成するための請求項１に記載の発明は、燃焼手段と、所定の暖房放熱器を接続することにより循環路を形成することが可能な暖房流路と、前記暖房流路から分岐して暖房放熱器を迂回して暖房流路に合流するバイパス流路と、入水部を通じて水を導入し、給湯部を通じて当該水を加熱して外部へ出湯する給湯流路とを有し、暖房流路には第１熱交換器と循環ポンプとが設けられ、前記第１熱交換器は前記燃焼手段において発生した燃焼ガスによって前記暖房流路内の熱媒体を加熱し、前記循環ポンプは暖房流路内の熱媒体を循環させるものであり、バイパス流路には暖房流路を循環する熱媒体を用いて給湯流路の入水部から導入された水を加熱することが可能な第２熱交換器が設けられており、暖房流路のバイパス流路への分岐部には、前記暖房放熱器に流れる熱媒体の流量と前記バイパス流路に流れる熱媒体の流量との比率を分配することが可能な分配流量調整手段が設けられており、さらに、暖房放熱器の運転の要求を検知する暖房運転検知手段と、給湯流路の流量が所定の流量以上であることを検知する入水検知手段と、給湯部から出湯される水の温度を所定の給湯温度に調整するために必要な熱量を演算する給湯熱量演算手段と、制御手段とを有し、前記制御手段は暖房運転検知手段の検知結果、入水検知手段の検知結果及び給湯熱量演算手段の演算結果を基に分配流量調整手段の制御を行うものであり、前記制御手段は以下の１）〜３）の全ての条件を満たすように制御が行われることを特徴とする熱源装置である。
１）入水検知手段によって給湯流路の流量が所定の流量以上であることを検知し、暖房運転検知手段によって暖房放熱器の運転の要求を検知しない場合には、前記バイパス流路に流れる熱媒体の流量が最大となるように分配流量調整手段を調整する。
２）入水検知手段によって給湯流路の流量が所定の流量以上であることを検知せず、暖房運転検知手段によって暖房放熱器の運転の要求を検知した場合には、前記バイパス流路に流れる熱媒体の流量を一定流量以上となる範囲で分配流量調整手段を調整する。
３）入水検知手段によって給湯流路の流量が所定の流量以上であることを検知し、暖房運転検知手段によって暖房放熱器の運転の要求を検知した場合には、前記バイパス流路に流れる熱媒体が持つ熱量が熱量演算手段で演算された熱量となるように分配流量調整手段を調整する。
【０００８】
請求項１に記載の発明の熱源装置は、暖房放熱器とバイパス流路との分岐部にある分配流量調整手段を用い、運転状況によってバイパス流路側に流れる熱媒体の流量の比率を変えるものであり、１）給湯流路の流量が所定の流量以上であることのみを検知した場合には、前記バイパス流路に流れる熱媒体の流量が最大となるようにし、２）暖房放熱器の運転の要求のみを検知した場合には、前記バイパス流路に流れる熱媒体の流量を一定流量以上となる範囲で調整し、３）給湯流路の流量が所定の流量以上であること、及び、暖房放熱器の運転の要求を検知した場合には、前記バイパス流路に流れる流量を熱量演算手段で演算された熱量となるような流量となるように分配流量調整手段を調整するものであるので、暖房運転や給湯要求の利用状況に応じて、素早く安定的に暖房・給湯することができる。
すなわち、給湯のみを使用する場合には、バイパス流路の熱媒体の流量を最大とし、暖房運転だけの場合でも、バイパス流路に一定量の熱媒体を流すものであるので、給湯の使用開始時にすぐに対応が可能である。
【０００９】
請求項２に記載の発明は、暖房運転検知手段によって暖房放熱器の運転の要求を検知している場合に、入水検知手段によって給湯流路の流量が所定の流量以上であることを検知すると、バイパス流路に流れる熱媒体の流量が最大となるように分配流量調整手段を調整し、その後、徐々にバイパス流路に流れる熱媒体の流量を減少させて暖房放熱器へ流れる流量を増加させるように分配流量調整手段を調整することを特徴とする請求項１に記載の熱源装置である。
【００１０】
請求項２に記載の発明によれば、暖房放熱器の運転の要求を検知している場合に、給湯流路の流量が所定の流量以上であることを検知すると、バイパス流路に流れる熱媒体の流量が最大となるように分配流量調整手段を調整されるので、迅速な給湯を行うことができ、また、その後、徐々にバイパス流路に流れる熱媒体の流量を減少させて暖房放熱器へ流れる流量を増加させるように制御が行われるので、給湯が不安定となることもない。
【００１１】
請求項３に記載の発明は、給湯流路には第２熱交換器を迂回するように入水部と給湯部とをつなぐバイパス部が設けられ、前記バイパス部には常時開状態であるバイパス弁があり、前記バイパス弁は暖房放熱器の運転の要求を検知している最中に、給湯流路の流量が所定の流量以上であることを検知した場合には、所定の時間後に閉じることを特徴とする請求項１又は２に記載の熱源装置である。
【００１２】
請求項３に記載の発明によれば、給湯流路には第２熱交換器を迂回するように入水部と給湯部とをつなぎ、バイパス弁を有するバイパス部が設けられ、暖房放熱器の運転の要求を検知している最中に、給湯流路の流量が所定の流量以上であることを検知した場合には、所定の時間後にバイパス弁が閉じるので、所定の時間はバイパス部に水が流れて、暖房運転の際に第２熱交換器内で高温となった給湯流路の水が、給湯の際にそのまま出湯されずにバイパス部を通過する水と混合され、高温の湯がそのまま出湯されるおそれがない。
【発明の効果】
【００１３】
本発明の給湯暖房装置によれば、暖房運転や給湯の利用状況に応じて、必要な熱量を素早く安定的に暖房側及び給湯側に供給することができる。
【発明を実施するための最良の形態】
【００１４】
以下さらに本発明の具体的実施例について説明する。図１は、本発明の第１の実施形態における給湯暖房装置の作動原理図である。図２は、本発明の第２の実施形態における給湯暖房装置の作動原理図である。図３は、本発明の第３の実施形態における給湯暖房装置の作動原理図である。
【００１５】
図１には、本発明の第１の実施形態における給湯暖房装置（熱源装置）１が示されている。そして、給湯暖房装置１には、燃焼手段１０、第１熱交換器１１、第２熱交換器１２、循環ポンプ１３、暖房流路１５、バイパス流路１６、給湯流路１７及び分配流量調整部１８が設けられている。
【００１６】
燃焼手段１０は、燃料の燃焼により燃焼ガスを発生させることができるものである。そして、燃焼手段１０で発生した燃焼ガスの熱により、後述するように、暖房流路１５内の熱媒体を第１熱交換器１１により加熱することができる。
燃焼手段１０には燃料供給部１０ａ、燃焼ファン１０ｂ及び燃焼バーナ１０ｃが設けられており、燃料供給部１０ａから供給された燃料が燃焼バーナ１０ｃで燃焼して燃焼ガスが発生する。
【００１７】
暖房流路１５は、床暖房機器やファンコンベクターなどの暖房放熱器（図示せず）を接続することができるものであり、この暖房放熱器が暖房流路１５に接続されることにより、循環路を形成することができる。暖房流路１５には、暖房往き部１５ａと暖房戻り部１５ｂが設けられている。なお、暖房放熱器には放熱のための流路が設けられており、この放熱のための流路の両端のそれぞれに暖房往き部１５ａ及び暖房戻り部１５ｂが接続されている。
そして、暖房流路１５及び前記暖房放熱器によって形成される循環路や、後述するバイパス流路１６には、熱媒体が充填されている。なお、熱媒体は、水にエチレングリコールなどを添加された不凍液などの液体が用いられている。
【００１８】
また、暖房流路１５には、第１熱交換器１１と循環ポンプ１３とが設けられている。そして、暖房流路１５と暖房放熱器によって形成される循環路に第１熱交換器１１と循環ポンプ１３が配置されている構成となっている。そして、循環ポンプ１３を作動させることにより、第１熱交換器１１によって加熱された熱媒体を暖房流路１５内で循環させることができる。
【００１９】
図１に示されるように、バイパス流路１６は暖房流路１５から分岐して再び暖房流路１５に接続する管路であり、暖房放熱器を迂回して暖房流路に合流している。また、暖房流路１５のバイパス流路１６との分岐部には分配流量調整部１８が設けられている。また、バイパス流路１６は、第１熱交換器１１や循環ポンプ１３を含む暖房流路１５の一部と共に循環路を形成しており、この循環路は上記した所定の暖房放熱器と暖房流路１５によって形成される循環路とは異なるものである。
バイパス流路１６には、第２熱交換器１２が配置されている。第２熱交換器１２はいわゆる液液熱交換器と呼ばれ、バイパス流路１６の熱媒体の熱を給湯流路１７内の水へ伝熱することができるものであり、給湯流路１７の水を加熱することができる。
【００２０】
暖房流路１５と暖房放熱器とによって形成される循環路と、バイパス流路１６と暖房流路１５の一部によって形成される循環路とは、第１熱交換器１１と循環ポンプ１３とを含む部分で重複している。そのため、循環ポンプ１３を作動すると、両方の循環路で熱媒体が循環する。また、暖房流路１５とバイパス流路１６の分岐部には分配流量調整部１８が設けられているので、後述するように、分配流量調整部１８を調整することにより、それぞれの循環路での流量比率を変えることができる。
【００２１】
また、熱媒体の具体的な流れは、次のような流れとなる。
循環ポンプ１３を作動させると、循環ポンプ１３から出た熱媒体は、第１熱交換器１１から、分配流量調整部１８に至り、暖房放熱器側とバイパス流路１６側とに分かれる。さらに、暖房放熱器側は暖房往き部１５ａから暖房放熱器に至り、暖房戻り部１５ｂから循環ポンプ１３に戻り、バイパス流路１６側はバイパス流路１６の第２熱交換器１２から循環ポンプ１３に戻る。
【００２２】
分配流量調整部１８はその開度を調整することにより、暖房放熱器側に流れる熱媒体の流量と、バイパス流路１６側に流れる熱媒体の流量との比率を所定の範囲に変更することができる。そのため、暖房放熱器やバイパス流路１６へ供給する熱量の比率を自由に変更することができ、暖房放熱器で放熱する熱量と第２熱交換器１２で熱交換する熱量の比を変えることができる。
【００２３】
また、分配流量調整部１８の流量比率を変えることのできる範囲は、任意である。本実施形態の給湯暖房装置１の分配流量調整部１８では、バイパス流路１６側の流量が最小となる場合であっても、一定の流量の熱媒体がバイパス流路１６側に流れる。
【００２４】
給湯流路１７は、入水部１７ａと給湯部１７ｂとをつなぐ管路であり、入水部１７ａを通じて水を導入して給湯部１７ｂを通じて当該水を外部へ出湯することができる。給湯流路１７には第２熱交換器１２が配置されている。そして、第２熱交換器１２によって、入水部１７ａから導入された水を加熱して、給湯部１７ｂからこの加熱された水を出湯することができる。なお、入水部１７ａは上水道などと接続され、給湯部１７ｂは所望の必要な場所に設けられた給湯栓１７ｃと接続されている。
【００２５】
また、本実施形態の給湯暖房装置１には、熱媒体や水の温度や流量を検知する検知手段３０が設けられている。
具体的には、暖房流路１５の第１熱交換器１１と分配流量調整部１８との間には温度検知部３１が、分配流量調整部１８と暖房往き部１５ａとの間には暖房往き温度検知部３２が、暖房戻り部１５ｂと循環ポンプ１３との間には戻り温度検知部３３が設けられている。
給湯流路１７の入水部１７ａと第２熱交換器１２との間には入水温度検知部３５及び入水量検知部３８が、第２熱交換器１２の下流には加熱温度検知部３６が設けられている。
そして、入水量検知部３８は所定の流量以上の水が給湯流路１７を流れているどうかを検知して、給湯の要求を検知することができるものであり入水検知手段となる。
【００２６】
なお、暖房戻り部１５ｂと循環ポンプ１３との間には、暖房膨張タンク２０が設けられており、熱媒体の温度上昇による体積増加を吸収して、暖房流路１５の破損などを防止している。
【００２７】
また、給湯暖房装置１には、図示しない制御部が設けられている。そして、外部からの入力（暖房の運転入力、給湯温度の設定値）や、上記した検知手段３０の検知結果などにより、燃焼手段１０の作動やその燃焼量、循環ポンプ１３の流量、分配流量調整部１８の流量比率の変更を行うことができる。
【００２８】
次に、給湯暖房装置１を使用して、暖房や給湯を行う方法について図４を用いて説明する。
まず、暖房及び給湯を行っていない場合には、燃焼手段１０、循環ポンプ１３は作動していない。
【００２９】
そして、この状態から暖房を行うために暖房運転のスイッチ（暖房運転検知手段）を入れると、その入力信号が制御部（図示せず）に出力される。暖房運転の入力信号を制御部で受けると（Ｓ１）、分配流量調整部１８をバイパス流路１６側の流量が最小であって暖房放熱器側の流量が最大となるような分配比とする（Ｓ２）。また、循環ポンプ１３が作動し、循環ポンプ１３が作動することにより熱媒体が循環する（Ｓ３）。
【００３０】
分配流量調整部１８は、バイパス流路１６側の流量が最小となる場合であっても、一定の流量の熱媒体がバイパス流路１６側に流れる。ただし、給湯が行われていないので、第２熱交換器１２での熱交換の量は小さい。
【００３１】
制御手段は、第１熱交換器１１内の熱媒体が流れることを確認の後、燃焼手段１０を作動させ、また、暖房の設定温度となるように燃焼手段１０の燃焼量を制御して発生熱量を変えて加熱制御を行い、暖房運転を行う。この暖房運転では、暖房往き温度検知部３２の温度が、暖房設定温度を基準とした温度範囲となるようにして制御される。具体的には、暖房往き温度検知部３２の温度が、所定の上限温度以上となった場合には、燃焼手段１０の作動を停止し、その後、再び、下限温度以下となった場合には、再び燃焼手段１０が作動する。
【００３２】
また、暖房放熱器で熱媒体の熱を放熱することにより、暖房を行うことができる。
【００３３】
暖房を行っている状態から給湯を使用しないで暖房運転の停止が入力されると、燃焼手段１０及び循環ポンプ１３が停止する。図４においては、Ｓ４からＳ１、Ｓ８を経由してＳ１６に進行する。なお、燃焼手段１０の停止後、一定の時間だけ循環ポンプ１３を作動させて、第１熱交換器１１などの過熱を防止することもできる。
【００３４】
次に給湯を行う場合について説明する。
暖房及び給湯を行っていない状態から、使用者が給湯栓１７ｃを開くなどして、入水部１７ａから給湯流路１７に水が流れ込むと、入水量検知部３８がその流量を検知する。なお、使用者は必要な湯の温度（出湯要求温度）を入力しておく。
【００３５】
そして、入水量検知部３８が所定の流量を検知すると、図示しない制御部の制御によって、分配流量調整部１８を調整する。図４においては、Ｓ１からＳ８を経由してＳ９に進行する。そして、分配流量調整部１８は、バイパス流路１６側の流量が最大であって暖房放熱器側の流量が最小となるような分配比に調整される。
【００３６】
循環ポンプ１３を作動させ、循環ポンプ１３が作動することにより熱媒体が循環する。循環ポンプ１３の作動によって、第１熱交換器１１内の熱媒体が流れることを確認すると、燃焼手段１０を作動させる（Ｓ１０）。そして、循環ポンプ１３及び燃焼手段１０が作動すると、燃焼手段１０において発生した燃焼ガスの熱が第１熱交換器１１を介して熱媒体に伝熱されて熱媒体が加熱され、さらに、第１熱交換器１１によって加熱されて温度が上昇した熱媒体の熱が、第２熱交換器１２により給湯流路１７の水を加熱する。
そして、図示しない制御部によって、出湯温度検知部３７の温度が、外部から入力された給湯温度となるように、燃焼手段１０の燃焼量を制御して発生熱量を変えて加熱制御を行い、給湯を行う。
【００３７】
このときの燃焼手段１０の燃焼制御は、入水温度検知部３５、加熱温度検知部３６、出湯温度検知部３７、入水量検知部３８の検知結果などを用いて給湯流路１７に必要な熱量を演算する給湯熱量演算手段によって必要熱量を演算し、温度検知部３１や戻り温度検知部３３などの検知結果を基に燃焼手段１０の燃焼制御を行うことができる。
【００３８】
使用者が給湯栓１７ｃを閉じ、給湯流路１７の入水部１７ａからの入水が止まるなどして、給湯流路１７の流量が一定量以下に減少したときは、燃焼手段１０の作動が停止し、循環ポンプ１３の作動も停止する。図４においては、Ｓ８からＳ１６に進行する。
【００３９】
また、給湯運転中に暖房運転が行われる場合には、燃焼手段１０による燃焼の制御と、分配流量調整部１８により行われる流量比率の制御を行うことにより、暖房運転と給湯運転の両方の運転を行う。図４においては、Ｓ１１からＳ１２、Ｓ１３へと進行する。
この場合、給湯運転しない場合から暖房運転を行う場合と異なり、バイパス流路１６側に供給される熱量を安定させることを優先して、上記の制御を行う。これは、暖房運転のためには、暖房往き温度検知部３２の温度が、暖房設定温度を基準とした温度範囲となるようにすることが必要であるが、暖房運転の入力の後すぐに、分配流量調整部１８により行われる流量比率を変更すると、給湯運転が不安定となりやすいためである。
【００４０】
具体的には、暖房運転の入力を検知すると、燃焼手段１０の燃焼量を増加して燃焼手段１０で発生させる熱量を増加させる。そして、燃焼手段１０で発生させる熱量が増えると熱媒体の温度が上昇するが、この温度上昇に伴って、徐々に分配流量調整部１８の開度を変更して暖房放熱器側に流れる熱媒体の流量を増加させる。この分配流量調整部１８の開度の変更は、バイパス流路１６側に供給される熱量が、上記した給湯熱量演算手段により演算された必要熱量を維持するようにして行われる。
【００４１】
また、給湯運転中に暖房運転が行われる場合であって、暖房流路１５の熱媒体の温度が、暖房設定温度よりも高い場合には、分配流量調整部１８による流量比率をバイパス流路１６側が最大流量となるようにし、燃焼手段１０の燃焼制御を行い、暖房流路１５の熱媒体の温度が、暖房設定温度まで低下させるように制御することもできる。
【００４２】
逆に、暖房運転中に給湯運転が行われる場合には、暖房運転しない場合から給湯運転を行う場合に比べて、作動内容が異なる。図４においては、Ｓ４からＳ５、Ｓ６、Ｓ７へと進行する。そして、この場合には、燃焼手段１０による燃焼の制御と、分配流量調整部１８により行われる流量比率の制御を行うことにより、暖房運転と給湯運転の両方の運転が行われる。
【００４３】
具体的には、暖房運転中に、給湯栓１７ｃを開くなどして、入水量検知部３８が給湯流路１７が一定以上の流量を検知すると、一旦、分配流量調整部１８をバイパス流路１６側の開度を大きくする（Ｓ５）。そして、バイパス流路１６の第２熱交換器１２に、給湯のための熱量をすぐに供給する。この熱量は上記した給湯熱量演算手段により演算された値を基に行うことができる。
また、暖房運転中でもバイパス流路１６に一定量の熱媒体が流れており、第２熱交換器１２内に滞留している水が高温となっているので、給湯栓１７ｃが開かれたときにこの滞留している水が押し出されてすぐに出湯が可能となる。また、バイパス流路１６内の熱媒体の温度は高温であるので、すぐに第２熱交換器１２で熱媒体の熱によって給湯流路１７の水を加熱することができる。なお、暖房放熱器側への熱媒体の流量が減少し、熱量の供給が一旦減少するが、一時的な現象であり、影響は小さい。
【００４４】
そして、給湯運転中に暖房運転が行われるときと同様に、燃焼手段１０で発生させる熱量を増加させる（Ｓ６）。そして、燃焼手段１０で発生させる熱量が増えて、熱媒体によって伝熱し、暖房や給湯に用いることのできる熱量が増加する。その後、分配流量調整部１８の開度を変更して暖房放熱器側に流れる熱媒体の流量を増加させる（Ｓ７）。
この分配流量調整部１８の開度の変更は、バイパス流路１６側に供給される熱量が、上記した給湯熱量演算手段により演算された必要熱量を維持するようにしながら徐々に変えるようにしても良く、また、入水量検知部３８が一定以上の流量を検知してから所定の時間経過後に分配流量調整部１８の開度を変更し始めるようにしてもよい。
【００４５】
そうして、暖房放熱器側に流れる熱媒体の量が増加し、暖房放熱器で放熱される熱量と暖房放熱器側に供給する熱量が釣り合う状態となる。そして、上記した内容と同様に、所定の上限温度と下限温度の間となるように、燃焼手段１０の燃焼量などを変えて制御が行われる。
【００４６】
本実施形態の給湯暖房装置１では、暖房を使用している場合にもバイパス流路１６側に熱媒体が流れているので、暖房の使用時に給湯を行う場合に、給湯流路１７の水をすぐに加熱することができる。また、給湯を行う場合には、暖房を使用しているかどうかに関係なく、分配流量調整部１８の開度を変えてバイパス流路側への熱媒体の流量を増加させるので、要求温度の給湯をすばやく行うことができる。
【００４７】
また、温度検知部３１の温度を、演算により算出される値となるように燃焼手段１０の燃焼を制御するようにしてもよい。
例えば、温度検知部３１の目標温度をＴ、バイパス流路１６を流れる検知流量（循環ポンプ１３の流量に分配流量調整部１８の割合を乗じたもの）をＱ１、入水温度検知部３５の検知温度をＴ２ｉ、使用者によって入力される出湯要求温度をＴ２ｏ、入水量検知部３８の検知流量をＱ２として、温度検知部３１の目標温度Ｔを所定の演算によって算出することもできる。
また、他の値によりに応じて目標温度Ｔを補正してもよい。
【００４８】
そして、給湯暖房装置１を使用する場合には、温度検知部３１の検知温度がこの目標温度Ｔとなるように燃焼手段１０の制御を行う。
このように、温度検知部３１を目標温度Ｔとなるように燃焼手段１０を制御するので、迅速な給湯加熱を行うことができる。
【００４９】
また、図２に示される本発明の第２の実施形態における給湯暖房装置２のように、給湯流路１７にバイパス部５０を設けることができる。そして、このバイパス部５０は、入水部１７ａと第２熱交換器１２との間で分岐し、第２熱交換器１２と給湯部１７ｂとの間で再び合流するものであり、第２熱交換器１２を迂回するように入水部１７ａと給湯部１７ｂとをつないでいる。
したがって、図２に示されるように、入水部１７ａと給湯部１７ｂとの間の水の流れは、第２熱交換器１２を通過する流路と、バイパス部５０を通って第２熱交換器１２を通過しない流路が並列に形成される。なお、給湯暖房装置２の他の構成については、上記した給湯暖房装置１と同様である。
【００５０】
給湯暖房装置２のバイパス部５０には、バイパス弁５１が設けられている。バイパス弁５１を開くとバイパス部５０に水が流れることが可能となり、閉じると水が流れない。また、バイパス弁５１は、常時開であり、所定の条件の場合に閉じる。そして、バイパス弁５１が開いてバイパス部５０が開通している状態で、給湯部１７ｂにつながる給湯栓１７ｃを開いた場合には、第２熱交換器１２側及びバイパス部５０側のいずれの流路も流れる。したがって、バイパス弁５１が開いている状態では、入水部１７ａから導入された一部の水が第２熱交換器１２を通過することになる。
【００５１】
そして、給湯暖房装置２では、給湯の開始の際には、バイパス弁５１が所定の時間後（遅延時間）に閉じられる。給湯の開始後に、バイパス弁５１が開いている遅延時間は、あらかじめ設定された時間でも良く、また、出湯要求温度Ｔ２ｏが低いほど長くなるように変えることもできる。また、遅延時間を暖房の使用時間の長さに応じて長くなるように変えることもできる。
また、暖房停止時間が一定時間以上の場合には、この遅延時間を設けないようにすることもできる。さらに、暖房設定温度と、出湯要求温度Ｔ２ｏとの関係によって遅延時間を定めることができる。また、検知温度や設定温度などの値を用いて、これらの値により遅延時間の参照が可能な遅延時間テーブルを作り、これを参照して遅延時間を変えることもできる。さらに、検知温度や設定温度などの値を用いて、遅延時間を算出する演算式を用いることもできる。
【００５２】
そして、第２熱交換器１２内の水が過度に加熱されている場合には、給湯の開始の際に、高温の湯が給湯栓１７ｃから出湯されるおそれがあるが、上記したように、遅延時間だけ、バイパス弁５１が開いており、一部の水はバイパス部５０を通るため、高温の湯が給湯栓１７ｃから出湯されるおそれがない。特に、暖房を使用した場合には、第１熱交換器１１で加熱された熱媒体の一部が第２熱交換器１２を通過するので、給湯を使用しない場合でも、第２熱交換器１２内に留まっている水が徐々に加熱される。そのため、暖房運転中に給湯した場合には高温出湯のおそれが大きいが、遅延時間の間は、バイパス部５０を通過する水が混合されて出湯されて温度が下がるので、高温出湯されにくい。
【００５３】
また、図３に示される本発明の第３の実施形態における給湯暖房装置３のように、給湯流路１７のバイパス部５０との合流部に、混合弁５５を設けることもできる。そして、混合弁５５は、給湯流路１７の第２熱交換器１２側に流れる流量と、バイパス部５０側を流れる流量とを所定の割合に変えることができる。したがって、入水温度検知部３５の検知温度や加熱温度検知部３６の検知温度などにより、混合弁５５を調整して、高温出湯を防止しつつ迅速に給湯栓１７ｃから出湯される水の温度を出湯要求温度とすることができる。
【００５４】
給湯暖房装置２や給湯暖房装置３では、バイパス部５０と給湯部１７ｂとの間に出湯温度検知部３７を設けて、出湯温度検知部３７の温度検知結果を基に燃焼手段１０の燃焼制御を行うこともできる。
【００５５】
なお、循環ポンプ１３は流量を固定できるものを用いても良く、流量を可変できるものを用いても良い。循環ポンプ１３の流量を可変できるものを用いた場合には、暖房放熱器や第２熱交換器１２で伝熱する熱量と、熱媒体の温度との関係を自由に選択することができる。そして、第１熱交換器１１で加熱された直後の熱媒体の温度（温度検知部３１で検知される温度）を高くしたくないが、多くの熱量を暖房放熱器や第２熱交換器１２に供給する場合には循環ポンプ１３の流量を多くすることにより行うことができる。また、第１熱交換器１１で加熱された直後の熱媒体の温度を低くしたくないが、暖房放熱器や第２熱交換器１２に供給する熱量を少なくする場合には循環ポンプ１３の流量を少なくすることにより行うことができる。
【００５６】
また、給湯のみを行う場合に、分配流量調整部１８の開度を調節することにより、給湯条件（入水検知温度Ｔ２ｉ、出湯要求温度Ｔ２ｏ、検知流量Ｑ２）を満たすように、第２熱交換器１２への熱量を供給することもできる。
【００５７】
上記した制御を、第２熱交換器１２の熱交換特性、給湯条件、バイパス流路１６の温度や流量などに基づいて、予想値をあらかじめ演算してそれに基づいて制御することもできる。
また、第１熱交換器１１で加熱された直後の熱媒体の温度を、暖房要求温度に合わせるようにして燃焼手段１０の制御を行うこともできる。
【図面の簡単な説明】
【００５８】
【図１】本発明の第１の実施形態における給湯暖房装置の作動原理図である。
【図２】本発明の第２の実施形態における給湯暖房装置の作動原理図である。
【図３】本発明の第３の実施形態における給湯暖房装置の作動原理図である。
【図４】本発明の第１の実施形態における給湯暖房装置の作動を示すフローチャートである。
【符号の説明】
【００５９】
１、２、３    給湯暖房装置（熱源装置）
１０  燃焼手段
１１  第１熱交換器
１２  第２熱交換器
１３  循環ポンプ
１５  暖房流路
１６  バイパス流路
１７  給湯流路
１７ａ  入水部
１７ｂ  給湯部
１８  分配流量調整部
【図１】
2005337632.tif 000003
【図２】
2005337632.tif 000004
【図３】
2005337632.tif 000005
【図４】
2005337632.tif 000006